(57)【特許請求の範囲】
【請求項１】
前方に向けて突出した左右の縦壁を備えた表示部本体と、
該表示部本体の前方に位置し且つ前記左右の縦壁の間に位置するフロントカバーと、
該フロントカバーの下端と前記表示部本体の下端とを連結するＵ字状の連接部とを有するプライスホルダの製造方法であって、
前記フロントカバーの上端が前記表示部本体から離れた状態の成形型を用意し、
該成形型から取り出す工程と、
該成形型から取り出した後に冷えることに伴う熱収縮により前記フロントカバーの上端と前記表示部本体との間が閉じた状態を形成する工程とを有するプライスホルダの製造方法。
【請求項２】
前記プライスホルダが射出成型機によって製造される、請求項１に記載のプライスホルダの製造方法。
【発明の詳細な説明】
【技術分野】
【０００１】
本発明は商品陳列に用いられるプライスホルダの製造方法に関する。
【背景技術】
【０００２】
デパート、スーパーマーケット、ホームセンター、コンビニエンスストアなどの店舗では陳列した商品に隣接して価格、商品の種類、品種、バーコードなどを表示するツールが設置されている。業界では、このツールは「プライスホルダ」「価格表示板」などと呼ばれているが、この明細書では「プライスホルダ」と呼ぶ。
【０００３】
特許文献１には、背板を構成する矩形の表示板本体と、この表示板本体の前に配置される透明の矩形カバーとを有するプライスホルダが開示されている。表示板本体は、その両側部に上下に延びる縦壁を有し、また、その下端縁には、左右に間隔を隔てて突起を有している。矩形カバーは、表示板本体の前面と間隔を隔てた状態で表示板本体に超音波溶着される。
【０００４】
特許文献１に記載のプライスホルダは、その上端開口を通じて、価格等を書いた紙片を本体とカバーとの間に抜き差しすることができる。なお、特許文献１のプライスホルダは、表示板本体の背面に左右に間隔を隔てて突設した一対のブラケットを使って陳列棚や陳列棒などに固定される。ブラケットには穴を有し、この穴を中心にプライスホルダの向きを調整することができる。プライスホルダの向きを調整可能にする構造は、特許文献１に詳しく開示されていることから、この特許文献１を援用することにより本願明細書に組み込む。
【０００５】
特許文献２は、両側縁部に縦スリットを有し、このスリットに透明ボードを上から挿入したプライスホルダを開示している。
【０００６】
図３は従来例のプライスホルダ１００を示す。このプライスホルダ１００は市販されている。この従来のプライスホルダ１００は、その表示部１０２が、表示部本体１０４と透明ボード１０６とで構成されている。すなわち、プライスホルダ１００の表示部１０２は２つの成型品で構成されている（図３の(c)）。表示部本体１０４と透明ボード１０６は、例えば、爪と、これを受ける段部とで構成される係止手段で固定される。図３の(a)はプライスホルダ１００を斜め前方から見た図であり、図３の(b)はプライスホルダ１００を斜め後方から見た図である。図中、参照符号１０８は、陳列棒に表示部本体１０４を固定するための固定部を示す。
【０００７】
プライスホルダ１００の表示部１０２は上方に開放した開口１０２aを有し、この開口１０２aを通じて、価格等を書いた紙片（図示せず）を抜き差しすることができる。
【先行技術文献】
【特許文献】
【０００８】
【特許文献１】特開平０７―３３４０９３号公報
【特許文献２】特開２００１―１６９８７６号公報
【発明の概要】
【発明が解決しようとする課題】
【０００９】
本発明の目的は、プライスホルダの表示部を一つの成型品で構成することのできるプライスホルダの製造方法を提供することにある。
【課題を解決するための手段】
【００１１】
上記の技術的課題は、本発明によれば、
前方に向けて突出した左右の縦壁を備えた表示部本体と、
該表示部本体の前方に位置し且つ前記左右の縦壁の間に位置するフロントカバーと、
該フロントカバーの下端と前記表示部本体の下端とを連結するＵ字状の連接部とを有するプライスホルダの製造方法であって、
前記フロントカバーの上端が前記表示部本体から離れた状態の成形型を用意し、
該成形型から取り出す工程と、
該成形型から取り出した後に冷えることに伴う熱収縮により前記フロントカバーの上端と前記表示部本体との間が閉じた状態を形成する工程とを有するプライスホルダの製造方法を提供することにより達成される。
【００１２】
本発明に従うプライスホルダの製造方法によれば、熱収縮を使って前記フロントカバーの上端と前記表示部本体との間の閉じた状態を作る。したがって、フロントカバーと表示部本体とが一体化した一つの成型品つまりワンピース品としてプライスホルダを作ることができる。そして、プライスホルダを作るのに、前記フロントカバーの上端と前記表示部本体との間が開いた状態の成型品を作る成形型を用意すればよい。
また、これにより製造したプライスホルダは、上記の開いた状態にすることで、前記フロントカバーの上端と前記表示部本体との間に出来た隙間を通じて、価格などを記した表示片をプライスホルダの中に収容することができる。この紙片は、上記のＵ字状の連接部及び左右の縦壁によって外部に脱出するのを防止できる。
【図面の簡単な説明】
【００１４】
【図１】実施例の製造方法によって作ったプライスホルダを示し、(a)は完成品のプライスホルダであり、(b)は射出成型機から取り出した直後のプライスホルダである。
【図２】図１の(a)のII−II線に沿って断面した断面図である。
【図３】従来のプライスホルダを示し、(a)は斜め前方から見た図であり、(b)は斜め後方から見た図であり、(c)は分解斜視図である。
【発明を実施するための形態】
【実施例】
【００１５】
以下に、添付の図面に基づいて本発明の好ましい実施例を説明する。
【００１６】
図１の(a)は完成品のプライスホルダ２Ａを示し、このプライスホルダ２Ａは射出成型品である。プライスホルダ２Ａは、従来と同様に、表示部４と固定部６とを有する。
【００１７】
表示部４は、表示部本体８とフロントカバー１０とで構成されている。表示部本体８は、正面視矩形の形状を有している。この表示部本体８とフロントカバー１０との間に、従来と同様に、価格などを記した紙片などの表示片（図示せず）が収容される。
【００１８】
フロントカバー１０は、表示部本体８の下端縁に連続している。図２を参照して、表示部本体８は、Ｕ字状に湾曲した連接部１２を介してフロントカバー１０に連続している。
【００１９】
表示部本体８は、その両側縁部に前方に突出した縦壁８aを有している。この左右の縦壁８aの間にフロントカバー１０が位置している。
【００２０】
プライスホルダ２Ａは、例えばPS（ポリスチレン）、ABS、PC（ポリカーボネート）、PET等の合成樹脂材料から射出成形される。
【００２１】
図１の(b)は、射出成形直後のプライスホルダ２Ｂを示す。この図１の(b)から、フロントカバー１０の上端が表示部本体８から離間しているのが良く分かるであろう。換言すれば、図１の(a)に図示のプライスホルダ２Ａの成形型（図示せず）は、図１の(b)に対応する形状を有している。
【００２２】
射出成形直後のプライスホルダ２Ｂは、これが冷えるのに伴う熱収縮によって図１の(a)の完成品のプライスホルダ２Ａの形状になる。
【００２３】
図１の(a)を参照して、完成品のプライスホルダ２Ａは、フロントカバー１０の上端と表示部本体８との間が閉じた状態にある。「閉じた」とは、典型的には、フロントカバー１０の上端が表示部本体８に当接又は圧接している状態を意味するが、価格などを記した表示片が抜け出さない程度にフロントカバー１０の上端が表示部本体８から僅かに離間していてもよい。
【００２４】
プライスホルダ２Ａに、価格等を書いた紙片（図示せず）を挿入するときには、フロントカバー１０の上端を表示部本体８から離す方向に力を加えて、フロントカバー１０と表示部本体８との間に隙間を作ればよい。この隙間を通じて価格等を書いた紙片などの表示片をフロントカバー１０と表示部本体８との間の空間に挿入することができる。
【００２５】
フロントカバー１０の上端に加えた力を解放することにより、フロントカバー１０は、Ｕ字状の連接部１２の復元力により、その上端が表示部本体８と当接した状態に戻る。
【００２６】
実施例の方法で作られたプライスホルダ２Ａは、その下端がＵ字状の連接部１２により閉じられており、また、左右は縦壁８aによって閉じられている。したがって、フロントカバー１０と表示部本体８との間に入れた表示片が脱落する虞はない。
【００２７】
プライスホルダ２Ａは透明であるが、必要に応じて表示部本体８を着色してもよい。なお、固定部６は従来から知られている任意の形状又は機能を備えていればよく、従来から知られている固定部を採用することができる。この固定部６はプライスホルダ２Ａの表示部４と一体成型してもよいし、プライスホルダ２Ａとは別に成形して後付けするようにしてもよい。
【００２８】
実施例の方法で作られたプライスホルダ２Ａ及びその製造方法によれば、その表示部４が一つの成型品であるため、従来のように２ピース品では必要とされた組立工程を省くことができる。また、単一の成形型で作ることができるため、比較的安価に製造することができる。
【００２９】
また、実施例の製造方法により作られたプライスホルダ２Ａによれば、フロントカバー１０と表示部本体８との間に入れた表示片が上方向及び左右方向に抜け出すのを的確に防止することができる。
【符号の説明】
【００３０】
２Ａ  完成品のプライスホルダ（図１の(a)）
２Ｂ  成形直後のプライスホルダ（図１の(b)）
４  表示部
６  固定部
８  表示部本体
８a  表示部本体の両側縁の縦壁
１０  フロントカバー
１２  Ｕ字状に湾曲した連接部
【図１】
0006383220.tif 000002
【図２】
0006383220.tif 000003
【図３】
0006383220.tif 000004